(57)【要約】【課題】優れた触覚特性を提供することが可能なタッチスクリーンディスプレイを提供すること。【解決手段】ベースと、ベースに接続され、ベースに対して動くことができるディスプレイデバイスと、ディスプレイデバイスを覆っているタッチ感知入力表面であって、ディスプレイデバイスに対するタッチイベントを決定するためのタッチ感知入力表面と、ベースと該ディスプレイデバイスとの間に配置された複数の形状記憶合金のワイヤであって、複数のワイヤのそれぞれは、ディスプレイデバイスの４つのコーナーの各々の近くに配置されており、形状記憶合金のワイヤの各々は、電流の伝導に応答して形状を変化させ、ベースに対する該ディスプレイデバイスの動きを引き起こすように構成されている、複数の形状記憶合金のワイヤと、を備える、タッチスクリーンディスプレイデバイス。【選択図】図２
2009116863.tif 000002
【特許請求の範囲】
【請求項１】
ベースと、
該ベースに接続され、該ベースに対して動くことができるディスプレイデバイスと、
該ディスプレイデバイスを覆っているタッチ感知入力表面であって、該ディスプレイデバイスに対するタッチイベントを決定するためのタッチ感知入力表面と、
該ベースと該ディスプレイデバイスとの間に配置された複数の形状記憶合金のワイヤであって、該複数のワイヤのそれぞれは、該ディスプレイデバイスの４つのコーナーの各々の近くに配置されており、該形状記憶合金のワイヤの各々は、電流の伝導に応答して形状を変化させ、該ベースに対する該ディスプレイデバイスの動きを引き起こすように構成されている、複数の形状記憶合金のワイヤと
を備え、
該タッチイベントは、該形状記憶合金のワイヤのうちの少なくとも１つを介する電流の伝導を引き起こし、該形状記憶合金のワイヤのうちの該少なくとも１つが該タッチイベントの位置に基づいて決定され、該タッチイベントは、該ベースに対する該ディスプレイデバイスおよび該タッチ感知入力表面の動きを引き起こす、タッチスクリーンディスプレイユニット。
【請求項２】
前記形状記憶合金のワイヤの各々は、該形状記憶合金を介する電流の伝導に応答して、縮むように構成されている、請求項１に記載のタッチスクリーンディスプレイユニット。
【請求項３】
前記タッチイベントの位置を決定するためのコントローラ
を含む、請求項１に記載のタッチスクリーンディスプレイユニット。
【請求項４】
前記形状記憶合金のワイヤは、マッスルワイヤを含む、請求項１に記載のタッチスクリーンディスプレイユニット。
【請求項５】
前記ディスプレイユニットは、前記タッチ感知入力表面の中央の近くにおける前記タッチイベントの位置に応答して、前記電流が前記ディスプレイデバイスの前記４つのコーナーの各々の近くに配置された前記複数のワイヤの各々を介して伝導されるように構成されている、請求項１に記載のタッチスクリーンディスプレイユニット。
【請求項６】
前記ワイヤの各々は、コイルバネ形状である、請求項１に記載のタッチスクリーンディスプレイユニット。
【請求項７】
中間の側壁によって前記ベースから間隔を空けられたフレームであって、前記ディスプレイデバイスとタッチ感知入力表面とを枠取りしているフレーム
を含む、請求項１に記載のタッチスクリーンディスプレイユニット。
【請求項８】
タッチスクリーンディスプレイユニットであって、
ベースと、
該ベースに接続され、該ベースに対して動くことができるディスプレイデバイスと、
該ディスプレイデバイスを覆っているタッチ感知入力表面であって、該ディスプレイデバイスに対するタッチイベントを決定するためのタッチ感知入力表面と、
該ベースと該ディスプレイデバイスとの間に配置された複数の形状記憶合金のワイヤであって、該複数のワイヤのそれぞれは、該ディスプレイデバイスの４つのコーナーの各々の近くに配置されており、該形状記憶合金のワイヤの各々は、電流の伝導に応答して形状を変化させ、該ベースに対する該ディスプレイデバイスの動きを引き起こすように構成されている、複数の形状記憶合金のワイヤと、
該タッチイベントの位置を決定するためのコンとローラと
を含む、タッチスクリーンディスプレイユニットと、
該ベースと該ディスプレイデバイスとの間のプロセッサを含む動作コンポーネントであって、該タッチイベントに応答して、該形状記憶合金のワイヤのうちの少なくとも１つを介する電流の伝導を引き起こすために、該コントローラ、該ディスプレイデバイス、および該形状記憶合金のワイヤに動作可能なように接続されており、該形状記憶合金のワイヤのうちの該少なくとも１つは該タッチイベントの位置に基づいて決定され、該タッチイベントは、該ベースに対する該ディスプレイデバイスおよび該タッチ感知入力表面の動きを引き起こす、動作コンポーネントと
を備える、電子デバイス。
【請求項９】
前記ベースの方向における前記ディスプレイデバイスの動きの範囲を制限するための機械的な止め具を含む、請求項８に記載の電子デバイス。
【請求項１０】
電子デバイスを制御する方法であって、該方法は、
タッチスクリーンディスプレイにおけるタッチ入力を受信することと、
該タッチスクリーンディスプレイ上の該タッチ入力の位置を決定することと、
該タッチ入力の受信に応答して、該電子デバイスのベースと該タッチスクリーンディスプレイとの間に配置された複数の形状記憶合金のワイヤのうちの少なくとも１つを介する電流の伝導を引き起こすことであって、該複数の形状記憶合金のワイヤのそれぞれは、該タッチスクリーンディスプレイの４つのコーナーの各々の近くに配置されており、該形状記憶合金のワイヤのうちの該少なくとも１つが、該タッチ入力の位置に基づいて決定され、該電流の伝導は、該形状記憶合金のワイヤのうちの該少なくとも１つの形状における変化を引き起こし、該ベースに対する該タッチスクリーンディスプレイの動きを引き起こす、ことと
を含む、方法。
【請求項１１】
コンピュータ実行可能な命令を含むコンピュータ読み取り可能な媒体であって、該コンピュータ実行可能な命令は、電子デバイスのプロセッサによって実行されたときに、コンピューティングデバイスに、
タッチスクリーンディスプレイにおけるタッチ入力を受信することと、
該タッチスクリーンディスプレイ上の該タッチ入力の位置を決定することと、
該タッチ入力の受信に応答して、該電子デバイスのベースと該タッチスクリーンディスプレイとの間に配置された複数の形状記憶合金のワイヤのうちの少なくとも１つを介する電流の伝導を引き起こすことであって、該複数の形状記憶合金のワイヤのそれぞれは、該タッチスクリーンディスプレイの４つのコーナーの各々の近くに配置されており、該形状記憶合金のワイヤのうちの該少なくとも１つは、該タッチ入力の位置に基づいて決定され、該電流の伝導は、該形状記憶合金のワイヤのうちの該少なくとも１つの形状における変化を引き起こし、該ベースに対する該タッチスクリーンディスプレイの動きを引き起こす、ことと
を行わせる、コンピュータ読み取り可能な媒体。
【発明の詳細な説明】
【技術分野】
【０００１】
本出願は、概して、タッチスクリーンデバイスからの触覚性フィードバックに関する。
【背景技術】
【０００２】
電子デバイス（携帯型電子デバイス）は、幅広い使用を獲得してきており、例えば電話メッセージ伝達、電子メッセージ伝達、およびその他の個人用情報管理（ＰＩＭ）アプリケーションの機能を含む、様々な機能を提供し得る。携帯型電子デバイスは、モバイル局（例えば、単純なセル式電話、スマートフォン、無線ＰＤＡ、および無線８０２．１１またはＢｌｕｅｔｏｏｔｈ能力を有するラップトップコンピュータ）を含む、いくつかのタイプのデバイスを含み得る。これらのデバイスは、データ専用ネットワーク（例えば、ＭｏｂｉｔｅｘおよびＤａｔａＴＡＣ）から複雑な音声およびデータのネットワーク（例えば、ＧＳＭ／ＧＰＲＳ、ＣＤＭＡ、ＥＤＧＥ、ＵＭＴＳ、およびＣＤＭＡ２０００のネットワーク）までの、様々なネットワーク上で実行する。
【０００３】
一般に、デバイス（例えば、ＰＤＡまたはスマートフォン）は、ハンドヘルドの使用が意図されており、携帯が容易であることが意図されている。一般に、小型のデバイスは、携帯のために望ましい。タッチスクリーンの入／出力デバイスは、そのようなハンドヘルドデバイス上で特に有用である。なぜならば、そのようなハンドヘルドデバイスは小型なので、入出力デバイスのために利用可能な空間が限られているからである。さらに、タッチスクリーンの入／出力デバイス上のスクリーン内容は、実行されている機能および動作に応じて、改変され得る。
【０００４】
タッチスクリーンデバイスは、タッチ感知オーバーレイ（ｔｏｕｃｈ−ｓｅｎｓｉｔｉｖｅ  ｏｖｅｒｌａｙ）を有するディスプレイ（例えば、液晶ディスプレイ）から構成されている。しかしながら、これらの入／出力デバイスは、ユーザの相互作用および応答に関連する固有の不利益を受ける。特に、そのようなタッチスクリーンデバイスは、入力を明確（ｐｏｓｉｔｉｖｅ）に示すためのユーザが所望する触覚特性を提供することができず、良くないユーザ経験を提供している。
【発明の開示】
【発明が解決しようとする課題】
【０００５】
したがって、入／出力デバイスにおける改良が望まれる。
【課題を解決するための手段】
【０００６】
一局面にしたがうと、タッチスクリーンディスプレイユニットが提供され得る。タッチスクリーンディスプレイユニットは、ベースと、ベースに接続され、ベースに対して動くことができるディスプレイデバイスと、ディスプレイデバイスを覆っているタッチ感知入力表面であって、ディスプレイデバイスに対するタッチイベントを決定するためのタッチ感知入力表面と、ベースとディスプレイデバイスとの間に配置された複数の形状記憶合金のワイヤであって、複数の形状記憶合金のワイヤそれぞれは、ディスプレイデバイスの４つのコーナーの近くに配置されており、複数の形状記憶合金のワイヤの各々は、電流の伝導に応答して、形状を変化させ、ベースに対するディスプレイデバイスの動きを引き起こすように構成されている、複数の形状記憶合金のワイヤと、を含む。タッチイベントは、形状記憶合金のワイヤのうちの少なくとも１つを介する電流の伝導を引き起こし得、形状記憶合金のワイヤのうちの上記少なくとも１つは、タッチイベントの位置に基づいて決定され、ベースに対するディスプレイデバイスおよびタッチ感知入力表面の動きを引き起こす。
【０００７】
別の局面にしたがうと、電子デバイスが提供される。電子デバイスは、ベースと、タッチスクリーンディスプレイと、複数の形状記憶合金および動作コンポーネントを含み得る。タッチスクリーンディスプレイは、ベースに接続されており、ベースに対して動くことができ、ディスプレイデバイスと、ディスプレイデバイスを覆っているタッチ感知入力表面とを含み、タッチ感知入力表面に対するタッチイベントを決定するためにコントローラに接続されている。形状記憶合金のワイヤは、ベースとディスプレイデバイスとの間に配置されており、複数のワイヤのそれぞれは、ディスプレイデバイスの４つのコーナーの各々の近くに配置されており、形状記憶合金の各々は、電流の伝導に応答して形状を変化させ、ベースに対するディスプレイデバイスの動きを引き起こすように構成されている。プロセッサは、コントローラ、ディスプレイデバイス、および形状記憶合金のワイヤに動作可能なように接続されており、タッチイベントに応答して、形状記憶合金のワイヤのうちの少なくとも１つを介する電流の伝導を引き起こし、ベースに対するタッチスクリーンディスプレイの動きを引き起こす。形状記憶合金のワイヤのうちの少なくとも１つは、タッチイベントの位置に基づいて決定され、電流の伝導は、ベースに対するディスプレイデバイスおよびタッチ感知入力表面の動きを引き起こす。
【０００８】
別の局面にしたがうと、電子デバイスを制御する方法が提供される。この方法は、タッチスクリーンディスプレイにおけるタッチ入力を受信することと、タッチスクリーンディスプレイ上のタッチ入力の位置を決定することと、タッチ入力の受信に応答して、電子デバイスのベースとタッチスクリーンディスプレイとの間に配置された複数の形状記憶合金のワイヤのうちの少なくとも１つを介する電流の伝導を引き起こす。複数の形状記憶合金のワイヤのそれぞれは、タッチスクリーンディスプレイの４つのコーナーの各々の近くに配置されている。形状記憶合金のワイヤのうちの少なくとも１つは、タッチ入力の位置に基づいて決定され、形状記憶合金のワイヤのうちの少なくとも１つの形状における変化を引き起こし、ベースに対するタッチスクリーンディスプレイの動きをもたらす。
【０００９】
本発明は、さらに以下の手段を提供する。
【００１０】
（項目１）  
ベースと、
該ベースに接続され、該ベースに対して動くことができるディスプレイデバイスと、
該ディスプレイデバイスを覆っているタッチ感知入力表面であって、該ディスプレイデバイスに対するタッチイベントを決定するためのタッチ感知入力表面と、
該ベースと該ディスプレイデバイスとの間に配置された複数の形状記憶合金のワイヤであって、該複数のワイヤのそれぞれは、該ディスプレイデバイスの４つのコーナーの各々の近くに配置されており、該形状記憶合金のワイヤの各々は、電流の伝導に応答して形状を変化させ、該ベースに対する該ディスプレイデバイスの動きを引き起こすように構成されている、複数の形状記憶合金のワイヤと
を備え、
該タッチイベントは、該形状記憶合金のワイヤのうちの少なくとも１つを介する電流の伝導を引き起こし、該形状記憶合金のワイヤのうちの該少なくとも１つが該タッチイベントの位置に基づいて決定され、該タッチイベントは、該ベースに対する該ディスプレイデバイスおよび該タッチ感知入力表面の動きを引き起こす、タッチスクリーンディスプレイユニット。
【００１１】
（項目２）  
上記形状記憶合金のワイヤの各々は、該形状記憶合金を介する電流の伝導に応答して、縮むように構成されている、項目１に記載のタッチスクリーンディスプレイユニット。
【００１２】
（項目３）  
上記タッチイベントの位置を決定するためのコントローラ
を含む、項目１に記載のタッチスクリーンディスプレイユニット。
【００１３】
（項目４）  
上記形状記憶合金のワイヤは、マッスルワイヤを含む、項目１に記載のタッチスクリーンディスプレイユニット。
【００１４】
（項目５）  
上記ディスプレイユニットは、上記タッチ感知入力表面の中央の近くにおける上記タッチイベントの位置に応答して、上記電流が上記ディスプレイデバイスの上記４つのコーナーの各々の近くに配置された上記複数のワイヤの各々を介して伝導されるように構成されている、項目１に記載のタッチスクリーンディスプレイユニット。
【００１５】
（項目６）  
上記ワイヤの各々は、コイルバネ形状である、項目１に記載のタッチスクリーンディスプレイユニット。
【００１６】
（項目７）  
中間の側壁によって上記ベースから間隔を空けられたフレームであって、上記ディスプレイデバイスとタッチ感知入力表面とを枠取りしているフレーム
を含む、項目１に記載のタッチスクリーンディスプレイユニット。
【００１７】
（項目８）  
タッチスクリーンディスプレイユニットであって、
ベースと、
該ベースに接続され、該ベースに対して動くことができるディスプレイデバイスと、
該ディスプレイデバイスを覆っているタッチ感知入力表面であって、該ディスプレイデバイスに対するタッチイベントを決定するためのタッチ感知入力表面と、
該ベースと該ディスプレイデバイスとの間に配置された複数の形状記憶合金のワイヤであって、該複数のワイヤのそれぞれは、該ディスプレイデバイスの４つのコーナーの各々の近くに配置されており、該形状記憶合金のワイヤの各々は、電流の伝導に応答して形状を変化させ、該ベースに対する該ディスプレイデバイスの動きを引き起こすように構成されている、複数の形状記憶合金のワイヤと、
該タッチイベントの位置を決定するためのコンとローラと
を含む、タッチスクリーンディスプレイユニットと、
該ベースと該ディスプレイデバイスとの間のプロセッサを含む動作コンポーネントであって、該タッチイベントに応答して、該形状記憶合金のワイヤのうちの少なくとも１つを介する電流の伝導を引き起こすために、該コントローラ、該ディスプレイデバイス、および該形状記憶合金のワイヤに動作可能なように接続されており、該形状記憶合金のワイヤのうちの該少なくとも１つは該タッチイベントの位置に基づいて決定され、該タッチイベントは、該ベースに対する該ディスプレイデバイスおよび該タッチ感知入力表面の動きを引き起こす、動作コンポーネントと
を備える、電子デバイス。
【００１８】
（項目９）  
上記ベースの方向における上記ディスプレイデバイスの動きの範囲を制限するための機械的な止め具を含む、項目８に記載の電子デバイス。
【００１９】
（項目１０）  
電子デバイスを制御する方法であって、該方法は、
タッチスクリーンディスプレイにおけるタッチ入力を受信することと、
該タッチスクリーンディスプレイ上の該タッチ入力の位置を決定することと、
該タッチ入力の受信に応答して、該電子デバイスのベースと該タッチスクリーンディスプレイとの間に配置された複数の形状記憶合金のワイヤのうちの少なくとも１つを介する電流の伝導を引き起こすことであって、該複数の形状記憶合金のワイヤのそれぞれは、該タッチスクリーンディスプレイの４つのコーナーの各々の近くに配置されており、該形状記憶合金のワイヤのうちの該少なくとも１つが、該タッチ入力の位置に基づいて決定され、該電流の伝導は、該形状記憶合金のワイヤのうちの該少なくとも１つの形状における変化を引き起こし、該ベースに対する該タッチスクリーンディスプレイの動きを引き起こす、ことと
を含む、方法。
【００２０】
（項目１１）  
コンピュータ実行可能な命令を含むコンピュータ読み取り可能な媒体であって、該コンピュータ実行可能な命令は、電子デバイスのプロセッサによって実行されたときに、コンピューティングデバイスに、
タッチスクリーンディスプレイにおけるタッチ入力を受信することと、
該タッチスクリーンディスプレイ上の該タッチ入力の位置を決定することと、
該タッチ入力の受信に応答して、該電子デバイスのベースと該タッチスクリーンディスプレイとの間に配置された複数の形状記憶合金のワイヤのうちの少なくとも１つを介する電流の伝導を引き起こすことであって、該複数の形状記憶合金のワイヤのそれぞれは、該タッチスクリーンディスプレイの４つのコーナーの各々の近くに配置されており、該形状記憶合金のワイヤのうちの該少なくとも１つは、該タッチ入力の位置に基づいて決定され、該電流の伝導は、該形状記憶合金のワイヤのうちの該少なくとも１つの形状における変化を引き起こし、該ベースに対する該タッチスクリーンディスプレイの動きを引き起こす、ことと
を行わせる、コンピュータ読み取り可能な媒体。
【００２１】
（摘要）
電子デバイスは、ベースと、タッチスクリーンディスプレイと、形状記憶合金と、動作コンポーネントとを含む。タッチスクリーンディスプレイは、ベースに接続されており、ベースに対して動くことができ、ディスプレイデバイスと該ディスプレイデバイスを覆っているタッチ感知入力表面とを含んでおり、タッチ感知入力表面に対するタッチイベントを決定するために、コントローラに接続されている。形状記憶合金は、ベースとディスプレイデバイスとの間に配置されており、電流の伝導に応じて形状を変化させ、ベースに対するディスプレイデバイスの動きを引き起こすように構成されている。動作コンポーネントは、ベースとタッチスクリーンディスプレイとの間のプロセッサを含む。プロセッサは、タッチイベントに応答して形状記憶合金を介する電流の伝導を引き起こし、その結果として、ベースに対するディスプレイデバイスの動きを引き起こすために、コントローラ、ディスプレイデバイス、および形状記憶合金に動作可能なように接続されている。
【発明を実施するための最良の形態】
【００２２】
ここで、単なる例示として、添付の図面を参照しながら、本出願の実施形態が記載される。
【００２３】
（好適な実施形態の詳細）
説明の単純化および明瞭化のために、適切であると考えられる場合には、複数の図面の間で参照番号が繰り返され得、対応する要素または類似の要素を示し得るということに留意されたい。加えて、本明細書中に記載されている実施形態の完全な理解を提供するために、数多くの具体的な詳細が開示されている。しかしながら、当業者は、本明細書中に記載されている実施形態は、これらの具体的な詳細がなくても実施され得ることを、理解できるであろう。その他、周知の方法、手順、およびコンポーネントについては、本明細書中に記載されている実施形態を不明瞭にしないようにするために、詳細には記載されていない。また、記載は、本明細書中に記載されている実施形態の範囲を限定するものとして考えられるべきではない。
【００２４】
本明細書中に記載されている実施形態は、概して、ディスプレイを有する携帯型電子デバイスに関する。携帯型電子デバイスの例は、モバイルまたはハンドヘルドの無線通信デバイス（例えば、ページャ、セル式電話、セル式スマートフォン、無線オーガナイザ、パーソナルデジタルアシスタント、無線能力を有するノートブックコンピュータ、等）を含む。
【００２５】
携帯型の電子デバイスは、先進的なデータ通信能力（ネットワークまたは送受信局を介することによって、その他の携帯型電子デバイスまたはコンピュータシステムと通信する能力を含む）を有する双方向通信デバイスであり得る。携帯型電子デバイスはまた、音声通信を可能にする能力を有し得る。携帯型電子デバイスは、自らによって提供される機能に応じて、データメッセージ伝達デバイス、双方向ページャ、データメッセージ伝達能力を有するセル式電話、無線インターネット機器、またはデータ通信デバイス（電話能力を有するもの、または有していないもの）と称され得る。携帯型電子デバイスはまた、無線通信能力を有していない携帯型デバイス（例えば、ハンドヘルド電子ゲームデバイス、デジタルフォトアルバム、デジタルカメラ、等）であり得る。
【００２６】
図１〜図３を参照すると、携帯型電子デバイス２０が示されており、この携帯型電子デバイスは、全体が２０で示されている。携帯型電子デバイスは、ベース２２と、タッチスクリーンディスプレイ２４とを含んでおり、このタッチスクリーンディスプレイは、ベース２２に接続されており、ベース２２に対して動くことができる。タッチスクリーンディスプレイ２４は、ディスプレイデバイス２６と、タッチ感知入力表面２８とを含んでおり、このタッチ感知入力表面は、ディスプレイデバイスを覆っており、タッチ感知入力表面２８に対するタッチイベントを決定するために、コントローラ３０に接続されている。形状記憶合金３２は、ベース２２とディスプレイデバイス２６との間に配置されており、電流の伝導に応答して、形状を変化させ、ベース２２に対するディスプレイデバイス２６の動きをもたらすように構成されている。動作コンポーネントは、ベース２２とタッチスクリーンディスプレイ２４との間のプロセッサ４０を含む。プロセッサ４０は、タッチイベントに応答して形状記憶合金３２を介する電流の伝導を引き起こし、その結果として、ベース２２に対するタッチスクリーンディスプレイ２４の動きを引き起こすために、コントローラ３０、ディスプレイデバイス２６、および形状記憶合金３２に接続されている。
【００２７】
ここで図３を参照すると、携帯型電子デバイス２０の例示的な実施形態のブロック図が示されている。携帯型電子デバイス２０は、例えば携帯型電子デバイス２０の全体動作を制御するプロセッサ４０のような、多数のコンポーネントを含んでいる。データ通信および音声通信を含む通信機能は、通信サブシステム４２を介して実行される。携帯型電子デバイス２０によって受信されたデータは、デコーダ４４によって解凍および復号化され得、デコーダ４４は、任意の適切な解凍技術（例えば、ＹＫ解凍、およびその他の公知の技術）および暗号化技術（例えば、データ暗号化規格（ＤＥＳ）、トリプルＤＥＳ、または先進暗号化規格（ＡＥＳ）を用いる）にしたがって動作する。通信サブシステム４２は、無線ネットワーク１００からメッセージを受信し、無線ネットワーク１００へとメッセージを送信する。携帯型電子デバイス２０のこの例示的な実施形態において、通信サブシステム４２は、グローバルシステムフォーモバイルコミュニケーション（ＧＳＭ）および汎用パケット無線サービス（ＧＰＲＳ）の規格にしたがって構成される。ＧＳＭ／ＧＰＲＳ無線ネットワークは、世界規模で使用されており、これらの規格はそのうちに、エンハンストデータＧＳＭ環境（ＥＤＧＥ）およびユニバーサルモバイルテレコミュニケーションサービス（ＵＭＴＳ）によって、取って代わられることが期待されている。今日をもっても新しい規格が定義されているが、それらの新しい規格は、本明細書中に記載されているネットワークの挙動との類似性を有するであろうことが信じられており、そして、本明細書中に記載されている実施形態は、将来開発されるその他の任意の適切な規格を使用することが意図されているということが、当業者によって理解され得る。通信サブシステム４２と無線ネットワーク１００とを接続する無線リンクは、ＧＳＭ／ＧＰＲＳ通信に対して指定された定義されたプロトコルにしたがって動作する、１つ以上の様々な無線周波数（ＲＦ）チャネルを表す。これらのチャネルは、より新しいネットワークプロトコルを用いることによって、回線交換の音声通信とパケット交換のデータ通信との両方をサポートすることが可能である。
【００２８】
１つの例示的な実装において、携帯型電子デバイス２０に関連付けられる無線ネットワーク１００は、ＧＳＭ／ＧＰＲＳ無線ネットワークであるが、異なる実装においては、その他の無線ネットワークもまた、携帯型電子デバイス２０に関連付けられ得る。使用され得る様々なタイプの無線ネットワークは、例えば、データ集約型の無線ネットワーク、音声集約型の無線ネットワーク、および同じ物理的な基地局を介して音声通信とデータ通信との両方をサポートし得るデュアルモードネットワークを含む。組み合わせ型デュアルモードネットワークは、符号分割多重アクセス（ＣＤＭＡ）またはＣＤＭＡ１０００ネットワーク、ＧＳＭ／ＧＰＲＳネットワーク（上述の通り）、ならびにＥＤＧＥおよびＵＭＴＳのような将来の第３世代（３Ｇ）ネットワークを含む。データ集約型のネットワークのその他の例の一部は、ＷｉＦｉ  ８０２．１１、Ｍｏｂｉｔｅｘ（登録商標）、およびＤａｔａＴＡＣ（登録商標）のネットワーク通信システムを含む。音声集約型のデータネットワークのその他の例は、ＧＳＭシステムおよび時分割多重アクセス（ＴＤＭＡ）システムのような個人通信システム（ＰＣＳ）ネットワークを含む。プロセッサ４０はまた、追加的なサブシステムと相互作用し、追加的なサブシステムは、ランダムアクセスメモリ（ＲＡＭ）４６、フラッシュメモリ４８、入力表面２８を有するディスプレイ２６、補助入／出力（Ｉ／Ｏ）サブシステム５０、データポート５２、スピーカ５４、マイクロフォン５６、短距離通信５８、およびその他のデバイスサブシステム６０、等である。
【００２９】
携帯型電子デバイス２０のサブシステムの一部は、通信関係の機能を実行するが、その一方で、その他のサブシステムは、「常駐」またはデバイス上の機能を提供し得る。例えば、ディスプレイデバイス２６およびタッチ感知入力表面２８は、通信関係の機能（例えば、ネットワーク１００を介する送信のためのテキストメッセージを入力すること）およびデバイス常駐機能（例えば、電卓またはタスクリスト）の両方のために使用され得る。
【００３０】
携帯型電子デバイス２０は、ネットワーク登録または活性化手順が完了した後に、無線ネットワーク１００を介して通信信号を送受信し得る。ネットワークアクセスは、携帯型電子デバイス２０の加入者またはユーザと関連付けられる。本実施形態にしたがう加入者を識別するために、携帯型電子デバイス２０は、ＳＩＭ／ＲＵＩＭインターフェース６４に挿入されるべきＳＩＭ／ＲＵＩＭカード６２（すなわち、加入者識別モジュールまたは着脱式のユーザ識別モジュール）を使用することによって、ネットワークと通信する。ＳＩＭカードまたはＲＵＩＭ６２は、特に携帯型電子デバイス２０の加入者を識別するために、および携帯型電子デバイス２０を個人化するために使用され得る、従来の「スマートカード」の一種である。本実施形態において、携帯型電子デバイス２０は、ＳＩＭカード６２がないと、無線ネットワーク１００との通信のために、完全な動作をすることができない。ＳＩＭカード／ＲＵＩＭ６２をＳＩＭ／ＲＵＩＭインターフェース６４に挿入することによって、加入者は、全ての加入したサービスにアクセスすることができる。サービスは、例えばｅメール、音声メール、ショートメッセージサービス（ＳＭＳ）、およびマルチメディアメッセージ伝達サービス（ＭＭＳ）のような、ウェブブラウジングおよびメッセージ伝達を含み得る。より先進的なサービスは、販売時点情報管理（ｐｏｉｎｔ  ｏｆ  ｓａｌｅ）、フィールドサービス（ｆｉｅｌｄ  ｓｅｒｖｉｃｅ）、およびセールスフォースオートメーション（ｓａｌｅｓ  ｆｏｒｃｅ  ａｕｔｏｍａｔｉｏｎ）を含み得る。ＳＩＭカード／ＲＵＩＭ６２は、プロセッサおよび情報を格納するためのメモリを含む。ＳＩＭカード／ＲＵＩＭ６２がＳＩＭ／ＲＵＩＭインターフェース６４に挿入されると、ＳＩＭカード／ＲＵＩＭ６２は、プロセッサ４０に結合される。加入者を識別するために、ＳＩＭカード／ＲＵＩＭ６２は、例えば国際モバイル加入者識別（ＩＭＳＩ）のような、なんらかのユーザパラメータを含み得る。ＳＩＭカード／ＲＵＩＭ６２を使用することの利点は、加入者がどのような単一の物理的な携帯型電子デバイスによっても、拘束される必要がなくなるということである。ＳＩＭカード／ＲＵＩＭ６２は、データブック（またはカレンダー）情報および最近の通話情報を含む、携帯型電子デバイスのための追加的な加入者情報を、同様に格納し得る。あるいは、ユーザ識別情報はまた、フラッシュメモリ４８にプログラムされ得る。
【００３１】
携帯型電子デバイス２０は、バッテリーによって電力供給されるデバイスであり、１つ以上の再充電可能なバッテリー６８を受け入れるためのバッテリーインターフェース６６を含む。少なくとも一部の実施形態において、バッテリー６８は、組み込み型マイクロプロセッサを有するスマートバッテリーであり得る。バッテリーインターフェース６６は、レギュレータ（図示されず）に結合され、レギュレータは、電力Ｖ＋を携帯型電子デバイス２０に提供する際に、バッテリー６８をアシストする。現行の技術は、バッテリーを使用するが、将来の技術（例えば、マイクロ燃料電池）は、携帯型電子デバイス２０に電力を提供し得る。
【００３２】
携帯型電子デバイス２０はまた、オペレーティングシステム７０およびソフトウェアコンポーネント７２〜８２をも含んでおり、これらは、以下でより詳細に記載される。プロセッサ４０によって実行されるオペレーティングシステム７０およびソフトウェアコンポーネント７２〜８２は、典型的には、永続性記憶装置（例えば、フラッシュメモリ４８）に格納される。永続性記憶装置は、その代わりに、リードオンリメモリ（ＲＯＭ）または同様の格納要素（図示されず）でもあり得る。当業者は、オペレーティングシステム７０およびソフトウェアコンポーネント７２〜８２の一部（例えば、特殊デバイスアプリケーションまたはそのパーツ）は、揮発性記憶装置（例えば、ＲＡＭ４６）に瞬間的にロードされ得ることを理解し得る。当業者には周知であるように、その他のソフトウェアコンポーネントもまた含まれ得る。
【００３３】
基本的なデバイス動作を制御するソフトウェアアプリケーション７２のサブセット（データ通信アプリケーションおよび音声通信アプリケーションを含む）は、通常、製造中に携帯型電子デバイス２０にインストールされ得る。その他のソフトウェアアプリケーションは、メッセージアプリケーション７４を含み、メッセージアプリケーション７４は、携帯型電子デバイス２０のユーザが電子メッセージを送受信することを可能にする任意の適切なソフトウェアプログラムであり得る。当業者には周知であるように、メッセージアプリケーション７４の様々な代替物が存在する。ユーザによって送信または受信されるメッセージは、典型的には、携帯型電子デバイス２０のフラッシュメモリ４８または携帯型電子デバイス２０におけるその他のなんらかの適切な格納要素に格納される。少なくとも一部の実施形態においては、送受信されたメッセージの一部は、デバイス２０から遠隔的に（例えば、携帯型電子デバイス２０と通信する関連付けられたホストシステムのデータ記憶装置に）格納され得る。
【００３４】
ソフトウェアアプリケーションはさらに、デバイス状態モジュール７６、個人情報管理（ＰＩＭ）７８、およびその他の適切なモジュール（図示されず）を含み得る。デバイス状態モジュール７６は、永続性を提供する。すなわち、デバイス状態モジュール７６は、重要なデバイスデータが永続性メモリ（例えば、フラッシュメモリ４８）に格納されることによって、携帯型電子デバイス２０がオフにされたり、または電力を断たれたりしたときに、データが失われないようにすることを保証する。
【００３５】
ＰＩＭ７８は、ユーザが関心のあるデータアイテムを編集および管理するための機能を含む。例えば、そのような機能は、ｅメール、連絡先、カレンダーイベント、音声メール、アポイントメント、およびタスクアイテムを含むが、それらには限定されない。ＰＩＭアプリケーションは、無線ネットワーク１００を介してデータアイテムを送受信する能力を有する。ＰＩＭデータアイテムは、無線ネットワーク１００を介することにより、携帯型電子デバイスの加入者の対応するデータアイテム（ホストコンピュータシステムに格納されていたり、かつ／または関連付けられていたりする）とシームレスに統合、同期化、および更新され得る。この機能は、そのようなアイテムに関して、携帯型電子デバイス２０上にミラーリングされたホストコンピュータを形成する。これは、ホストコンピュータシステムが携帯型電子デバイスの加入者のオフィスコンピュータシステムであるときに、特に有利であり得る。
【００３６】
携帯型電子デバイス２０はまた、接続モジュール８０、および情報技術（ＩＴ）ポリシーモジュール８２をも含んでいる。接続モジュール８０は、携帯型電子デバイス２０が無線設備および例えばエンタープライズシステムのような任意のホストシステム（携帯型電子デバイス２０は、これらとインターフェースを取る権限が付与されている）と通信するために必要な通信プロトコルを実装している。
【００３７】
接続モジュール８０は、携帯型電子デバイス２０と統合され得る一連のＡＰＩを含んでおり、これらのＡＰＩは、携帯型電子デバイス２０が、エンタープライズシステムと関連付けられた任意の個数のサービスを使用することを可能にする。接続モジュール８０は、携帯型電子デバイス２０が、ホストシステムとのエンド・トゥ・エンドのセキュアで認証された通信パイプを確立することを可能にする。接続モジュール８０によってアクセスが提供されるアプリケーションのサブセットは、ホストシステムから携帯型電子デバイス２０へと、ＩＴポリシーコマンドを受け渡すために使用され得る。これは、無線または有線で実行され得る。その後これらの命令は、デバイス２０の構成を改変するために、ＩＴポリシーモジュール８２へと受け渡され得る。あるいは、一部の場合においては、ＩＴポリシーの更新もまた、有線接続を介して実行され得る。
【００３８】
その他のタイプのソフトウェアアプリケーションもまた、携帯型電子デバイス２０上にインストールされ得る。これらのソフトウェアアプリケーションは、携帯型電子デバイス２０の製造後に追加されるサードパーティアプリケーションであり得る。サードパーティアプリケーションの例は、ゲーム、電卓、ユーティリティ、等を含む。
【００３９】
追加的なアプリケーションは、無線ネットワーク１００、補助Ｉ／Ｏサブシステム５０、データポート５２、短距離通信サブシステム５８、または任意のその他の適切なデバイスサブシステム６０のうちの少なくとも１つを介して、携帯型電子デバイス２０上にロードされ得る。アプリケーションのインストールにおけるこの柔軟性は、携帯型電子デバイス２０の機能を増大させ、増強されたデバイス上の機能、通信関連機能、またはそれらの両方を提供し得る。例えば、セキュア通信アプリケーションは、電子商取引機能およびその他の同様の金融取引機能が、携帯型電子デバイス２０を用いて実行されることを可能にし得る。
【００４０】
データポート５２は、加入者が外部デバイスまたはソフトウェアアプリケーションを介して選好度（ｐｒｅｆｅｒｅｎｃｅ）を設定し、無線通信ネットワーク以外を介して携帯型電子デバイス２０に情報またはソフトウェアダウンロードを提供することによって、携帯型電子デバイス２０の能力を拡張することを可能にする。代替的なダウンロード経路は、例えば、直接的であってひいては信頼性が高く確実な接続を介することによって、携帯型電子デバイス２０へと暗号化キーをロードし、セキュアなデバイス接続を提供するために使用され得る。
【００４１】
データポート５２は、携帯型電子デバイス２０と別のコンピューティングデバイスとの間のデータ通信を可能にする任意の適切なポートであり得る。データポート５２は、シリアルまたはパラレルのポートであり得る。一部の実例において、データポート５２は、データ転送のためのデータラインと、携帯型電子デバイス２０のバッテリー６８へと充電電流を提供し得る供給ラインとを含む、ＵＳＢポートであり得る。
【００４２】
短距離通信サブシステム５８は、無線ネットワーク１００を用いることなしに、携帯型電子デバイス２０と様々なシステムまたはデバイスとの間の通信を提供する。例えば、サブシステム５８は、赤外線デバイスおよび短距離通信のための関連する回路およびコンポーネントを含み得る。短距離通信規格の例は、赤外線データ協会（ＩｒＤＡ）によって開発された規格、Ｂｌｕｅｔｏｏｔｈ、およびＩＥＥＥによって開発された規格の８０２．１１ファミリーを含む。
【００４３】
使用中、例えばテキストメッセージ、ｅメールメッセージ、またはウェブページダウンロードのような、受信された信号は、通信サブシステム４２によって処理され、プロセッサ４０に入力される。その後、プロセッサ４０は、ディスプレイ２８または補助Ｉ／Ｏサブシステム５０へと出力するために、受信された信号を処理する。加入者はまた、例えば、タッチ感知入力表面２８ならびにディスプレイデバイス２６、そしておそらくは補助Ｉ／Ｏサブシステム５０を用いることによって、データアイテム（例えば、ｅメール）を編集し得る。補助Ｉ／Ｏサブシステム５０は、例えば、マウス、トラックボール、赤外線指紋検出器、または動的なボタン押下能力を有するローラホイールのような、デバイスを含み得る。キーボード（例えば、英数字キーボードおよび／または電話タイプキーボードまたはそれらの両方）もまた提供され得る。編集されたアイテムは、通信サブシステム４２を介して、無線ネットワーク１００上で送信され得る。
【００４４】
音声通信に関して、携帯型電子デバイス２０の全体動作は、受信された信号がスピーカ５４へと出力され、マイクロフォン５６によって送信のための信号が生成されるということを除き、実質的に同様である。代替的な音声またはオーディオＩ／Ｏサブシステム（例えば、音声メッセージ録音サブシステム）もまた、携帯型電子デバイス２０上に実装され得る。音声またはオーディオ信号の出力は、主にスピーカ５４を介して遂行され得るが、ディスプレイ２８もまた、追加的な情報（例えば、発呼側の識別、音声コールの持続時間、またはその他の音声コール関連情報）を提供するために使用され得る。
【００４５】
再び図１および図２を参照すると、ハウジングは、ベース２２とベース２２から離れたフレーム８４とを含んでおり、フレーム８４は、タッチスクリーンディスプレイ２４を枠取りしている。側壁８６は、ベース２２とフレーム８４との間に延びている。本実施形態にしたがうと、側壁８６は、ベース２２およびフレーム８４に対して、概して垂直に延びている。ベース２２は、例えば上述のようなバッテリー６８およびＳＩＭカード６２の挿入および取り外しのために解放可能なように取り付けられた、プレート（図示されず）を含んでいる。ベース２２、側壁８６、およびフレーム８４は、例えば射出成形されたものであり得るということが理解され得る。フレーム８４は、ウィンドウを枠取りするようにサイズおよび形状が決められ得る。このウィンドウにおいて、タッチスクリーンディスプレイ２４は、タッチスクリーンディスプレイ２４のタッチ感知入力表面２８とのユーザ接触による入力のために、およびディスプレイデバイス２６上への出力の表示のために、露出されている。タッチスクリーンディスプレイ２４は、形状記憶合金３２によってフレーム８４の裏面に向けて付勢させられており、その形状記憶合金３２は、図２に最もよく示されるように、本実施形態において、４つのコイルバネ（ｃｏｉｌ  ｓｐｒｉｎｇ）を含んでいる。このようにして、フレーム８４は、ハウジング内にタッチスクリーンディスプレイ２４を維持し、タッチスクリーンディスプレイ２４は、ハウジングによって制約されている。それにもかかわらず、タッチスクリーンディスプレイ２４は、ハウジング内で動くことが可能である。機械的な抑制部（ｓｔｏｐ）８５は、ベース２２の方向におけるタッチスクリーンディスプレイ２４の動きの範囲を制限するために含まれている。したがって、機械的な抑制部８５は、ベース２２とタッチスクリーンディスプレイ２４と形状記憶合金３２との間で、動作可能なコンポーネントを保護するように、タッチスクリーンディスプレイ２４の動きの範囲を制限している。本実施形態において、機械的な抑制部８５は、ベース２２から上の方へ延びているポスト（ｐｏｓｔ）を含んでいる。機械的な抑制部８５は、任意の適切な機械的な抑制部であり得るが、例えば、側壁８６から内側に向かう突出部（ｐｒｏｊｅｃｔｉｏｎ）または形状記憶合金３２のコイルバネの周囲に位置決めされた管（ｔｕｂｅ）を含んでいる。タッチスクリーンディスプレイ２４は、ハウジングとベース２２とに接続されており、それらに向かって動くことができることに、留意されたい。タッチスクリーンディスプレイ２４のエッジは、支持を提供するようにエッジを囲むエッジ支持部を含み得、これによって、エッジ支持部がハウジングのフレーム８４と接触することが、企図されている。図１に示されている実施形態にしたがうと、フレーム８４は、略長方形であるが、その他の形状もまた可能である。例えば、フレーム８４のコーナーは、丸みが付いているものであってもよい。
【００４６】
タッチスクリーンディスプレイ２４は、固いディスプレイ支持部８８によって支持されており、ディスプレイ支持部８８は、タッチスクリーンディスプレイ２４に対する構造的な支持を提供し、タッチスクリーンディスプレイ２４の損傷または破壊を引き起こす屈曲を抑制している。ディスプレイ支持部８８は、任意の適切な材料から形成され得、さらなる機能コンポーネント（例えば、印刷回路基板）を含み得る。タッチスクリーンディスプレイ２４は、ＬＣＤディスプレイデバイス２６を覆っているタッチ感知入力表面２８およびその他のコンポーネント（例えば、バックライト（図示されず）のようなオプションのコンポーネントを含む）を含む、コンポーネントのアセンブリであるということに、留意されたい。
【００４７】
タッチスクリーンディスプレイ２４は、任意の適切なタッチスクリーンディスプレイ、例えば、容量性タッチスクリーンディスプレイ２４であり得る。このタッチスクリーンディスプレイ２４は、ディスプレイデバイス２６（本実施形態においては、ＬＣＤディスプレイである）およびタッチ感知入力表面２８を含んでいる。タッチ感知入力表面２８は、積み重なった多数の層を含んでいることに、留意されたい。それらの層は、例えば、基板層、接地シールド、および電気的に絶縁された容量性タッチセンサ回路層、ならびにカバーレンズを含んでいる。タッチ感知入力表面２８の容量性タッチセンサ回路層は、任意の適切な導体材料（例えば、銅または金）から形成された伝導性のリード線（図示されず）を介して、図３に示される電子コントローラ３０と接続される。タッチスクリーンディスプレイ２４のタッチ感知入力表面２８上のタッチの位置は、タッチのＸ座標およびＹ座標を決定するためのタッチセンサ回路層を使用して決定される。容量性タッチセンサ回路層はそれぞれ、容量性タッチセンサ回路層のそれぞれの電界の変化を結果としてもたらすユーザからのタッチに応答して、コントローラ３０に信号を提供する。それらの信号は、Ｘタッチ位置およびＹタッチ位置のそれぞれを表している。
【００４８】
使用中、スクリーンは、携帯型電子デバイス２０のユーザによる選択のためのオプションまたはコマンドを含むように、ディスプレイデバイス２６上に表示される。容量性タッチセンサ回路層は、電界を提供するように電流によってそれぞれ駆動される。その電界は、タッチ感知入力表面２８をユーザがタッチした際に、容量結合の結果として変化する。電界の変化は、タッチが起こっていることをコントローラ３０に合図し、タッチ位置のＸおよびＹ座標が、コントローラにおいて決定される。タッチの座標は、ＬＣＤディスプレイ３２上に表示されたスクリーンからユーザによって選択された、関連付けられたオプションまたはコマンドを決定するために、プロセッサ４０によって使用される。プロセッサ４０は、決定された関連付けられたオプションまたはコマンドに基づいた動作を実行する。
【００４９】
タッチスクリーンディスプレイ２４は、静的なタッチイベントによる単一の位置の決定に制限されない。その代わりに、タッチスクリーンディスプレイ２４に沿って指をスライドさせることなどの動作が決定され得る。さらに、タッチスクリーンディスプレイ２４上の１つ以上の位置におけるタッチが決定され得、指のタッチ位置の間の距離を増大または減少させることなどの動作が決定され得ることが、企図されている。各タイプのタッチイベントおよびタッチ位置（座標）またはタッチは、プロセッサ４０における種々のコマンドの始動を結果としてもたらし得る。従って、タッチスクリーンディスプレイ２４は、ユーザ相互作用のためのグラフィカルユーザインターフェースを提供する。
【００５０】
上で示されるように、タッチスクリーンディスプレイ２４は、フレーム８４に向かってベース２２から離れるように付勢させられている。一実施形態において、形状記憶合金３２は、タッチスクリーンディスプレイ２４をフレーム８４に向かって付勢させている。しかしながら、タッチスクリーンディスプレイ２４は、任意の適切な付勢要素（ｂｉａｓｉｎｇ  ｅｌｅｍｅｎｔ）またはエレメント（例えば、フォーム付勢要素（ｆｏａｍ  ｂｉａｓｉｎｇ  ｅｌｅｍｅｎｔ）またはその他の適切なエレメント）によって、フレーム８４に向かって付勢させられ得ることに、留意されたい。例示的な本実施形態において、形状記憶合金３２は、図３、図４Ａおよび図４Ｂに示すようなコイルバネの形状における４つのワイヤ３２ａ、３２ｂ、３２ｃ、３２ｄを含んでいる。４つのワイヤ３２ａ、３２ｂ、３２ｃ、３２ｄのそれぞれは、図１の想像線の（ｇｈｏｓｔ）輪郭において示されるように、携帯型電子デバイス２０のそれぞれのコーナーに近接して配置され、適切な機械的な接続によって、ベース２２と固いディスプレイ支持部８８とに機械的に接続される。ワイヤ３２ａ、３２ｂ、３２ｃ、３２ｄのそれぞれは、１つの端部がバッテリーインターフェース６６へと電気的に接続される。この接続は、回路が完成される場合に、それぞれのワイヤ３２ａ、３２ｂ、３２ｃ、３２ｄに電流を提供するためのものである。それぞれのワイヤ３２ａ、３２ｂ、３２ｃ、３２ｄのその他端部は、プロセッサ４０へと電気的に接続される。この接続は、それぞれの回路の完成を制御し、それによって、ワイヤ３２ａ、３２ｂ、３２ｃ、３２ｄのそれぞれを介する電流の流れを制御するためのものである。ワイヤ３２ａ、３２ｂ、３２ｃ、３２ｄは、例えば、マッスル（ｍｕｓｃｌｅ）ワイヤ、または任意の適切な形状記憶合金３２であり得る。さらに、形状記憶合金３２は、４つのコイルバネに制限されない。なぜならば、形状記憶合金３２のその他の適切な形状が使用され得るからである。例えば、形状記憶合金３２は、薄いリボン状の形またはその他の適切な形状をなし得る。さらに、その他の多くの形状記憶合金３２が使用され得る。
【００５１】
当業者は、形状記憶合金が、別個の温度において種々の形状を呈するということを理解する。その種々の形状は、より低い温度におけるマルテンサイト（ｍａｒｔｅｎｓｉｔｅ）から、より高い温度におけるオーステナイト（ａｕｓｔｅｎｉｔｅ）への、温度に依存するマルテンサイト的な相変態の結果としてもたらされる。相変態が起こる温度は、合金に依存している。本実施形態における形状記憶合金は、ワイヤ３２ａ、３２ｂ、３２ｃ、３２ｄを含んでおり、それらは、マッスルワイヤであり得る。マッスルワイヤは、ＮｉｔｉｎｏｌまたはＦｌｅｘｉｎｏｌと一般的に称される、ニッケルチタン合金の薄く、高度に処理されたストランド（ｓｔｒａｎｄ）である。ワイヤ３２ａ、３２ｂ、３２ｃ、３２ｄは、温度に依存する２つの形状を有し、室温状態の伸張されたバネ形状（図４Ａにおいて数字３２ａ、３２ｂおよび３２ｄによって示される）と、熱せられた状態の圧縮されたバネ形状（数字３２ｃによって示される（縮尺どおりではない））とを含んでいる。したがって、ワイヤ３２ａ、３２ｂ、３２ｃ、３２ｄのコイルバネのそれぞれの長さは、熱せられた状態においては、減少させられるかまたは縮む。ワイヤが室温に戻る場合に、ワイヤ３２ａ、３２ｂ、３２ｃ、３２ｄのコイルバネの長さは、伸張された長さへと戻る。ワイヤ３２ｃは、図４Ａにおいて熱せられた状態の圧縮されたバネ形状で示されており、図４Ｂにおいて室温状態の伸張されたバネ形状で示されている。
【００５２】
コイルバネ形状のワイヤ３２のいずれか、または全てを介して電流が伝導される場合に、それぞれのワイヤは、熱くなり、図４Ａのワイヤ３２ｃによって示されるように、熱せられた状態の圧縮されたバネ形状へと相変態を受ける。図４Ａのワイヤ３２ｃは、電流（Ｉｏというラベル付けされた矢印によって示される）伝導の結果として活性化されていることを意味し、熱せられた状態の圧縮されたバネ形状への変化を引き起こす。電流の流れが停止する場合に、ワイヤ３２ｃは、冷め、そして本来の相へと戻り、それによって、図４Ｂに示されるように、室温状態の伸張されたバネ形状に戻る。当業者は、室温からワイヤを活性化させるために必要とされる電流が、合金およびワイヤの直径に依存していると理解する。示されるように、１つの適切な形状記憶合金は、マッスルワイヤである。１つの例示的な実施形態にしたがうと、ワイヤ３２ａ、３２ｂ、３２ｃ、３２ｄは、０．０４ｍｍから１ｍｍの範囲における直径を有するマッスルワイヤである。そのワイヤは、２ｍｍから１０ｍｍの範囲におけるコイル直径を有するコイルバネへと形成される。上で示されるように、形状記憶合金は、コイルバネに制限されない。なぜならば、形状記憶合金のその他の形状が使用され得るからである。例えば、薄いリボン状またはその他の適切な形状は、電流が流れる場合に、圧縮された状態に変化し、電流が流れることを停止する場合に、伸張された状態に戻る。
【００５３】
本明細書中において上述されたように、タッチスクリーンディスプレイ２４上におけるユーザタッチ（ｕｓｅｒ  ｔｏｕｃｈ）のＸおよびＹ座標は、コントローラ３０において決定され、タッチの座標は、ユーザによって選択された、関連付けられたオプションまたはコマンドを決定するために、プロセッサ４０によって使用される。タッチの座標はまた、電流の流れを引き起こすように回路を完成することによって、４つのワイヤ３２ａ、３２ｂ、３２ｃ、３２ｄのいずれを活性化するかを決定するために、プロセッサ４０によって使用される。電流の流れは、室温状態の伸張されたバネ形状から、熱せられた状態の圧縮されたバネ形状への、形状における変化を結果としてもたらす。４つのワイヤ３２ａ、３２ｂ、３２ｃ、３２ｄの活性化される１つまたは複数のワイヤは、ユーザタッチの位置に依存している。
【００５４】
一例示において、タッチ感知入力表面２８は、図５の想像線の輪郭に示されるように、実際上、５つの領域９０、９１、９２、９３、９４に分割される。これらの分割が、タッチスクリーンディスプレイ２４上において示されないことに、留意されたい。ユーザタッチのＸおよびＹ座標が、例えば、領域９０（図５の図面においては携帯型電子デバイス２０のタッチスクリーンディスプレイ２４の左上手コーナーに示される領域）内にあると決定される場合に、プロセッサ４０がワイヤ３２ａを介する電流の流れを引き起こす回路を完成するときに、ワイヤ３２ａが活性化される。このことは、室温状態の伸張されたバネ形状から、熱せられた状態の圧縮されたバネ形状への、形状における変化を結果としてもたらす。ベース２２とタッチスクリーンディスプレイ２４との間に接続されたワイヤ３２ａの長さが縮むと、形状における変化は、タッチスクリーンディスプレイ２４の移動を結果としてもたらす。
【００５５】
しかしながら、ＸおよびＹ座標が、領域９２（図５の図面においては携帯型電子デバイス２０のタッチスクリーンディスプレイ２４の右上手コーナーに示される領域）内にあると決定される場合、プロセッサ４０がワイヤ３２ｂを介する電流の流れを引き起こす回路を完成するときに、ワイヤ３２ｂ（図５の図面における携帯型電子デバイス２０の右上手コーナーに近接したワイヤ）が活性化される。このことは、室温状態の伸張されたバネ形状から、熱せられた状態の圧縮されたバネ形状への、形状における変化を結果としてもたらす。ベース２２とタッチスクリーンディスプレイ２４との間に接続されたワイヤ３２ｂの長さが縮むと、形状における変化は、タッチスクリーンディスプレイ２４の移動を結果としてもたらす。
【００５６】
ＸおよびＹ座標が、領域９２（図５の図面においては携帯型電子デバイス２０のタッチスクリーンディスプレイ２４の右下手コーナーに示される領域）内にあると決定される場合に、プロセッサ４０がワイヤ３２ｃを介する電流の流れを引き起こす回路を完成するときに、ワイヤ３２ｃ（図５の図面における携帯型電子デバイス２０の右下手コーナーに近接したワイヤ）が活性化される。このことは、室温状態の伸張されたバネ形状から、熱せられた状態の圧縮されたバネ形状への、形状における変化を結果としてもたらす。ベース２２とタッチスクリーンディスプレイ２４との間に接続されたワイヤ３２ｃの長さが縮むと、形状における変化は、タッチスクリーンディスプレイ２４の移動を結果としてもたらす。
【００５７】
ＸおよびＹ座標が、領域９３（図５の図面においては携帯型電子デバイス２０のタッチスクリーンディスプレイ２４の左下手コーナーに示される領域）内にあると決定される場合に、プロセッサ４０がワイヤ３２ｄを介する電流の流れを引き起こす回路を完成するときに、ワイヤ３２ｄ（図５の図面における携帯型電子デバイス２０の左下手コーナーに近接したワイヤ）が活性化される。このことは、室温状態の伸張されたバネ形状から、熱せられた状態の圧縮されたバネ形状への、形状における変化を結果としてもたらす。ベース２２とタッチスクリーンディスプレイ２４との間に接続されたワイヤ３２ｄの長さが縮むと、形状における変化は、タッチスクリーンディスプレイ２４の移動を結果としてもたらす。
【００５８】
ＸおよびＹ座標が、領域９４（図５の図面における携帯型電子デバイス２０のタッチスクリーンディスプレイ２４の中央を含む、示されている領域）内にあると決定される場合に、プロセッサ４０が、ワイヤ３２ａ、３２ｂ、３２ｃ、３２ｄを介する電流の流れを引き起こす回路をそれぞれに対して完成するときに、４つのワイヤ３２ａ、３２ｂ、３２ｃ、３２ｄ全てが活性化される。このことは、室温状態の伸張されたバネ形状から、熱せられた状態の圧縮されたバネ形状への、形状における変化を結果としてもたらす。ベース２２とタッチスクリーンディスプレイ２４との間に接続されたワイヤ３２ａ、３２ｂ、３２ｃ、３２ｄの長さがそれぞれ縮むと、形状における変化は、タッチスクリーンディスプレイ２４の移動を結果としてもたらす。
【００５９】
ここで、携帯型電子デバイス２０のベース２２に対するタッチスクリーンディスプレイ２４の動きを引き起こす電子デバイス２０を制御する方法を記述するために、図６〜図８および図９に対する参照がなされる。最初に図６を参照すると、一実施形態にしたがう、携帯型電子デバイス２０の一部分の断面図が示されている。この例示において、ユーザは、矢印「Ａ」の方向に押すことによって、タッチスクリーンディスプレイ２４の領域９１（図５）において、タッチ感知入力表面２８をタッチする（ステップ１１０）。タッチ感知入力表面２８上のタッチの位置のＸ座標およびＹ座標は、コントローラ３０において決定され、タッチの座標は、プロセッサ４０に提供される（ステップ１１２）。プロセッサ４０は、ユーザによって選択された、関連付けられたオプションまたはコマンドをタッチの位置に基づいて決定するために、タッチの座標を用い（ステップ１１４）、それに応じて、適切な動作またはいくつかの動作を実行する（ステップ１１６）。タッチの座標はまた、関連したワイヤ３２ｂ（活性化すべきワイヤ３２）を決定するために、プロセッサ４０によって使用され（ステップ１１８）、それから、プロセッサ４０は、室温状態の伸張されたバネ形状から、熱せられた状態の圧縮されたバネ形状へと、形状における変化を結果としてもたらす電流の流れを引き起こすために、ワイヤ３２ｂを含む回路を完成する（ステップ１２０）。タッチスクリーンディスプレイ２４は、図６に示されるように、コイルバネの形状にされたワイヤ３２ｂの長さにおける変化の結果として移動する。図が縮尺どおりではなく、タッチスクリーンディスプレイ２４の動きが、説明のために誇張されていることに、留意されたい。示されているように、タッチスクリーンディスプレイ２４は、ユーザに対して触覚応答を提供するために、この例示においてピボット運動する。
【００６０】
ここで、図７を参照すると、図６に類似している、携帯型電子デバイス２０の一部分の断面図が示されている。しかしながら、この例示において、ユーザは、矢印「Ｂ」の方向に押すことによって、タッチスクリーンディスプレイ２４の領域９３（図５）において、タッチ感知入力表面２８をタッチする（ステップ１１０）。タッチ感知入力表面２８上のタッチの位置のＸ座標およびＹ座標は、コントローラ３０において決定され、タッチの座標は、プロセッサ４０に提供される（ステップ１１２）。プロセッサ４０は、ユーザによって選択された、関連付けられたオプションまたはコマンドを決定するために、タッチの座標を用い（ステップ１１４）、ステップ１１４において決定されたオプションまたはコマンドに基づき、適切な動作またはいくつかの動作を実行する（ステップ１１６）。タッチの座標はまた、活性化すべき関連したワイヤ３２ｄを決定するために、プロセッサ４０によって使用され（ステップ１１８）、それから、プロセッサ４０は、室温状態の伸張されたバネ形状から、熱せられた状態の圧縮されたバネ形状へと、形状における変化を結果としてもたらす電流の流れを引き起こすために、ワイヤ３２ｄを含む回路を完成する（ステップ１２０）。タッチスクリーンディスプレイ２４は、図７に示されるように、コイルバネの形状にされたワイヤ３２ｄの長さにおける変化の結果として移動する。再び、図が縮尺どおりではなく、タッチスクリーンディスプレイ２４の動きが、説明のために誇張されていることに、留意されたい。再び、タッチスクリーンディスプレイ２４は、ユーザに対して触覚応答を提供するために、この例示においてピボット運動する。
【００６１】
ここで、図８を参照すると、図５および図６に類似している、携帯型電子デバイス２０の一部分の断面図が示されている。しかしながら、この例示において、ユーザは、矢印「Ｃ」の方向に押すことによって、タッチスクリーンディスプレイ２４の領域９４（図５）において、タッチ感知入力表面２８をタッチする（ステップ１１０）。タッチ感知入力表面２８上のタッチの位置のＸ座標およびＹ座標は、コントローラ４０において決定され、タッチの座標は、再び、プロセッサ４０に提供され（ステップ１１２）、プロセッサ４０は、ユーザによって選択された、関連付けられたオプションまたはコマンドを決定し（ステップ１１４）、ステップ１１４において決定されたオプションまたはコマンドに基づき、適切ないくつかの動作を実行する（ステップ１１６）。タッチの座標はまた、関連したコイルバネワイヤ３２ａ、３２ｂ、３２ｃ、３２ｄを決定するために、プロセッサ４０によって使用され（ステップ１１８）、それから、プロセッサ４０は、室温状態の伸張されたバネ形状から、熱せられた状態の圧縮されたバネ形状へと、形状における変化を結果としてもたらす、それぞれのワイヤ３２ａ、３２ｂ、３２ｃ、３２ｄを介する電流の流れを引き起こすために、それぞれのコイルバネの形状にされたワイヤ３２ａ、３２ｂ、３２ｃ、３２ｄを含むそれぞれの回路を完成する（ステップ１２０）。タッチスクリーンディスプレイ２４は、図８に示されるように、コイルバネの形状にされたワイヤ３２ａ、３２ｂ、３２ｃ、３２ｄの全ての長さにおける変化の結果として移動する。ここでもまた、図が縮尺どおりではなく、タッチスクリーンディスプレイ２４の動きが、説明のために誇張されていることに、留意されたい。この例示において、４つのワイヤ３２ａ、３２ｂ、３２ｃ、３２ｄのそれぞれが縮み、ピボット運動するのではなくむしろ、タッチスクリーンディスプレイ２４は、ベース２２に対し、概して平行に移動する。
【００６２】
ワイヤまたはワイヤ群３２ａ、３２ｂ、３２ｃ、３２ｄにおける相の変化によって引き起こされるベース２２に対するタッチスクリーンディスプレイ２４の動きによって、ユーザは、グラフィカルユーザインターフェースとのユーザ相互作用の間に、触覚性フィードバックを提供される。
【００６３】
上述のように、タッチスクリーンディスプレイ２４は、任意の適切なタッチスクリーンディスプレイであり得、容量性タッチスクリーンディスプレイに限定されない。当業者には理解され得るように、タッチスクリーンディスプレイは、例えば、抵抗性タッチスクリーンディスプレイまたは任意の適切なタッチスクリーンディスプレイであり得る。
【００６４】
上述のように、タッチスクリーンディスプレイ２４は、静的なタッチイベントの単一の位置の決定に限定されない。代わりに、タッチスクリーンディスプレイ２４に沿った指のスライドのような動きが決定され得る。さらに、タッチスクリーンディスプレイ２４上の２つ以上の位置におけるタッチが決定され得、指のタッチ位置の間の距離を増加させたりまたは減少させたりするような動きが決定され得るということが、企図されている。２つ以上のタッチ位置によって、Ｘ座標とＹ座標との２つ以上の組が、コイル形状のワイヤ３２ａ、３２ｂ、３２ｃ、３２ｄのどれを活性化するかを決定するために用いられ得る。したがって、２つ以上のワイヤ３２ａ、３２ｂ、３２ｃ、３２ｄが、ワイヤ３２ａ、３２ｂ、３２ｃ、３２ｄの全てを活性化することなしに、活性化され得る。例えば、ワイヤ３２ａ、３２ｂ、３２ｃ、３２ｄのうちの２つ（共通の側を共有するコーナーの近くに配置されている）が活性化され得、タッチスクリーンディスプレイ２４のピボット運動を引き起こし得る。またさらに、タッチの位置または動きの変化は、コイル形状のワイヤ３２ａ、３２ｂ、３２ｃ、３２ｄの１つまたは全てから、コイル形状のワイヤ３２ａ、３２ｂ、３２ｃ、３２ｄの別のものまたは全てへの、活性化を引き起こし得る。
【００６５】
図５に示されている実施形態においては、タッチスクリーンディスプレイ２４には５つのエリアが示されているが、これらのエリアは単に例示のために示されており、その他のエリアが使用され得るということが、理解されるべきである。例えば、Ｘ座標とＹ座標とが決定され、続いて、４つのワイヤ３２ａ、３２ｂ、３２ｃ、３２ｄのうちのもっとも近い１つ以上のワイヤが活性化され得る。さらに、エリアの形状は、示されている形状とは異なり得る。さらに、様々な本数のワイヤが使用され得、これらのワイヤは、ベース２２とタッチスクリーンディスプレイ２４との間の様々な位置に配置され得る。
【００６６】
上述の実施形態においては、タッチスクリーンディスプレイ２４はフレーム８４によって枠取りされているが、このフレームは、側壁８６によってベース２２に固定されている。例えば固い側壁ではなくむしろ可撓性の側壁によって、ベース２２がタッチスクリーンディスプレイ２４に固定され得るということが企図されている。そのような可撓性の側壁は、任意の適切なエラストマから作られ得る。
【００６７】
本明細書において記載されてきた実施形態は、携帯型電子デバイスの特定の実装に関するが、これらの実施形態の改変および変形は、本出願の範囲および領域内にあることが理解されるべきである。例えば、携帯型電子デバイスの特徴のうちの多くのサイズおよび形状は異なり得るが、それでもなお、同じ機能を提供し得る。多くのその他の改変および変形が当業者に想到され得る。そのような改変およびバリエーションの全ては、本出願の領域および範囲内にあると考えられる。
【図面の簡単な説明】
【００６８】
【図１】図１は、一実施形態にしたがう携帯型電子デバイスの平面図であり、特定の隠された特徴は、図示を目的として、想像線で示されている。
【図２】図２は、図１の携帯型電子デバイスの断面図である。
【図３】図３は、図１の携帯型電子デバイスの特定の内部コンポーネントを含む、特定のコンポーネントのブロック図である。
【図４Ａ】図４Ａは、図３のコンポーネントの一部分を示すブロック図であり、圧縮された状態で示されている形状記憶合金のワイヤを含んでいる。
【図４Ｂ】図４Ｂは、図４に類似したブロック図であり、伸張した状態の形状記憶合金のワイヤを示している。
【図５】図５は、図１の携帯型電子デバイスの平面図であり、スクリーンエリアを想像線で示している。
【図６】図６は、図１の携帯型電子デバイスの断面図であり、タッチスクリーンディスプレイ上の一点におけるタッチイベントを示している。
【図７】図７は、図１に携帯型電子デバイスの断面図であり、タッチスクリーンディスプレイ上の別の点におけるタッチイベントを示している。
【図８】図８は、図１の携帯型電子デバイスの断面図であり、タッチスクリーンディスプレイ上のさらに別の点におけるタッチイベントを示している。
【図９】図９は、図１の電子デバイスを制御する方法におけるステップを示すフローチャートである。
【符号の説明】
【００６９】
２０  携帯型電子デバイス
２２  ベース
２４  タッチスクリーンディスプレイ
２６  ディスプレイデバイス
２８  タッチ感知入力表面
３２  形状記憶合金
８４  フレーム
８５  機械的な抑制部
８６  側壁
８８  ディスプレイ支持部
９２  コーナー
【図１】
2009116863.tif 000003
【図２】
2009116863.tif 000004
【図３】
2009116863.tif 000005
【図４Ａ】
2009116863.tif 000006
【図４Ｂ】
2009116863.tif 000007
【図５】
2009116863.tif 000008
【図６】
2009116863.tif 000009
【図７】
2009116863.tif 000010
【図８】
2009116863.tif 000011
【図９】
2009116863.tif 000012